(57)【要約】【課題】タッチ操作が可能な表示装置を有する情報処理装置において薄型化を図る。【解決手段】本開示の一態様にかかる情報処理装置（１００）は、表示筐体（２）は、ヒンジ部（３）と連結する側の端部である第１の端部（２ａ）側の内部空間の高さ（Ｔ１）がヒンジ部（３）と連結しない側の端部である第２の端部（２ｂ）側の内部空間の高さ（Ｔ２）よりも高いテーパー形状で構成し、タッチ操作機能を実行するための回路基板（７）が第１の端部（２ａ）側の内部空間に設けられており、第１の端部（２ａ）が面取りされている。【選択図】図３
2015079393.tif 000002
【特許請求の範囲】
【請求項１】
本体筐体と、
タッチ操作が可能な表示装置が収容された表示筐体と、
前記表示装置の表示画面が前記本体筐体で覆われる第１の位置と、前記表示画面が露出される第２の位置と、の間で回動可能に、前記本体筐体と前記表示筐体とを連結したヒンジ部と、を有し、
前記表示筐体は、前記ヒンジ部と連結する側の端部である第１の端部側の内部空間の高さが前記ヒンジ部と連結しない側の端部である第２の端部側の内部空間の高さよりも高いテーパー形状で構成し、タッチ操作機能を実行するための回路基板が前記第１の端部側の内部空間に設けられており、
前記本体筐体を設置面に設置した状態で、前記ヒンジ部を回動軸として前記表示筐体を前記第２の位置まで回動した際に、前記第１の端部側が前記設置面に接触しない形状に前記第１の端部側が面取りされている、ことを特徴とする情報処理装置。
【請求項２】
前記表示筐体は、前記第１の端部側と前記第２の端部側との間に形成された側壁がテーパー形状で構成しており、前記第１の端部側の側壁の高さが前記第２の端部側の側壁の高さよりも高い、ことを特徴とする請求項１記載の情報処理装置。
【請求項３】
前記本体筐体は、前記本体筐体の底面側を凹状に所定の深さだけ窪ませて構成した足配置部を有し、前記足配置部に足部が取り付けられており、前記足部で前記設置面に設置している、ことを特徴とする請求項１または請求項２記載の情報処理装置。
【請求項４】
前記本体筐体と前記表示筐体とは、マグネシウム−リチウム合金で構成されている、ことを特徴とする請求項１から請求項３の何れか１項に記載の情報処理装置。
【発明の詳細な説明】
【技術分野】
【０００１】
本発明は、ノートパソコン等の情報処理装置に関する。
【背景技術】
【０００２】
近年、タッチ操作が可能なタッチパネルディスプレイを搭載したノートパソコンが市場に流通している。タッチパネルディスプレイは、タッチパネルディスプレイ上を指やペンでタッチ操作するだけで各種情報の閲覧操作を簡単に行うことができる。また、既存のノートパソコンに実装されているキーボードやトラックパッドを操作することで、各種情報の入力操作を簡単に行うことができる。このため、タッチパネルディスプレイを搭載したノートパソコンは、情報の閲覧操作の容易さと、情報の入力操作の容易さと、を兼ね備えており、様々な用途に好適な機器になっている。
【０００３】
タッチパネルディスプレイを搭載したノートパソコンは、タッチ操作機能を搭載するため、タッチパネルディスプレイを収容する表示筐体の厚みが厚くなってしまう。
【０００４】
ノートパソコンは、ユーザが携帯して様々な場所で使用するため、薄型化、軽量化が図られている。このため、タッチパネルディスプレイを搭載したノートパソコンにおいても、薄型化、軽量化が求められることになる。
【０００５】
なお、本発明より先に出願された技術文献として、例えば、特許文献１（特開２０１２−１３８２１８号公報）には、表示筐体の端部を面取りし、表示筐体の端部が設置面に接触しないようにした構成例について開示されている。
【先行技術文献】
【特許文献】
【０００６】
【特許文献１】特開２０１２−１３８２１８号公報
【発明の概要】
【発明が解決しようとする課題】
【０００７】
しかし、特許文献１は、筐体の回動可能角度を大きくすることができるバッテリ実装構造に関する技術について開示されており、タッチパネルディスプレイを搭載したノートパソコンにおいて、薄型化、軽量化を図ることについては何ら考慮されていない。
【０００８】
本開示は、タッチ操作が可能な表示装置を有する情報処理装置において薄型化を図ることにある。
【課題を解決するための手段】
【０００９】
本開示の一態様にかかる情報処理装置は、
本体筐体と、
タッチ操作が可能な表示装置が収容された表示筐体と、
前記表示装置の表示画面が前記本体筐体で覆われる第１の位置と、前記表示画面が露出される第２の位置と、の間で回動可能に、前記本体筐体と前記表示筐体とを連結したヒンジ部と、を有し、
前記表示筐体は、前記ヒンジ部と連結する側の端部である第１の端部側の内部空間の高さが前記ヒンジ部と連結しない側の端部である第２の端部側の内部空間の高さよりも高いテーパー形状で構成し、タッチ操作機能を実行するための回路基板が前記第１の端部側の内部空間に設けられており、
前記本体筐体を設置面に設置した状態で、前記ヒンジ部を回動軸として前記表示筐体を前記第２の位置まで回動した際に、前記第１の端部が前記設置面に接触しない形状に前記第１の端部が面取りされている、ことを特徴とする。
【発明の効果】
【００１０】
タッチ操作が可能な表示装置を有する情報処理装置において薄型化を図ることができる。
【図面の簡単な説明】
【００１１】
【図１】本実施形態のノートパソコン１００の外観を示す斜視図である。
【図２】本体筐体１の底面側の図である。
【図３】ノートパソコン１００の側面図である。
【図４】図２に示す構成から足部１０を取り外した状態の図である。
【図５】表示筐体２の第１の端部２ａ側の面取りをする部分３００を示す図である。
【図６】足部１０と足配置部２０との取付構造例を示す図である。
【図７】足配置部２０に足部１０を取り付ける前後の状態の断面構成例を示す図である。
【発明を実施するための形態】
【００１２】
（本開示の一態様にかかる情報処理装置１００の概要）
まず、図３、図５を参照しながら、本開示の一態様にかかる情報処理装置１００の概要について説明する。図３は、本開示の一態様にかかる情報処理装置１００の側面構成例を示す図であり、図５は、表示筐体２の第１の端部２ａ側の面取りをする部分３００を示す図である。
【００１３】
本開示の一態様にかかる情報処理装置１００は、図３に示すように、本体筐体１と、タッチ操作が可能な表示装置４が収容された表示筐体２と、表示装置４の表示画面が本体筐体１で覆われる第１の位置と、表示画面が露出される第２の位置と、の間で回動可能に、本体筐体１と表示筐体２とを連結したヒンジ部３と、を有して構成している。第１の位置は、図５（ａ）に示すように、本体筐体１と表示筐体２とのなす角が０°となる位置を意味し、第２の位置は、図５（ｂ）に示すように、本体筐体１と表示筐体２とのなす角が１３５°となる位置を意味する。
【００１４】
また、表示筐体２は、ヒンジ部３と連結する側の端部である第１の端部２ａ側の内部空間の高さＴ１がヒンジ部３と連結しない側の端部である第２の端部２ｂ側の内部空間の高さＴ２よりも高いテーパー形状で構成し、タッチ操作機能を実行するための回路基板７が第１の端部２ａ側の内部空間に設けられている。
【００１５】
また、本体筐体１を設置面２００に設置した状態で、ヒンジ部３を回動軸として表示筐体２を第２の位置まで回動した際に、第１の端部２ａが設置面２００に接触しない形状に第１の端部２ａが面取りされている。具体的には、図５（ｂ）に示すように、ヒンジ部３を回動軸として表示筐体２を第２の位置まで回動した際に、表示筐体２の第１の端部２ａ側と設置面２００とが接触する部分３００を少なくとも面取りしている。
【００１６】
本開示の一態様にかかる情報処理装置１００は、回路基板７を収容する表示筐体２をテーパー形状で構成し、内部空間の高さが高い第１の端部２ａ側の内部空間に回路基板７を収容している。これにより、タッチ操作が可能な表示装置４を有する情報処理装置１００において薄型化を図ることができる。以下、添付図面を参照しながら、本開示の一態様にかかる情報処理装置１００の実施形態について詳細に説明する。なお、以下の実施形態では、情報処理装置１００としてノートパソコン１００を例に説明する。
【００１７】
＜ノートパソコン１００の構成例＞
まず、図１〜図４を参照しながら、本実施形態のノートパソコン１００の構成例について説明する。図１は、本実施形態のノートパソコン１００の外観を示す斜視図である。図２は、本体筐体１の底面側を示す図である。図３は、ノートパソコン１００の側面図であり、本体筐体１を設置面２００に設置させた状態を示す。図４は、図２に示す本体筐体１から５個の足部１０を取り外した状態を示す。
【００１８】
本実施形態のノートパソコン１００は、図１に示すように、本体筐体１と表示筐体２とを備えている。本体筐体１と表示筐体２とは、ヒンジ部３によって互いに回動自在に支持されている。ヒンジ部３は、本体筐体１と表示筐体２とを矢印Ａまたは矢印Ｂに示す方向へ回動自在に支持する回動軸Ｃを備えている。ヒンジ部３は、表示筐体２に収容されるタッチパネルディスプレイ４が本体筐体１で覆われる第１の位置と、タッチパネルディスプレイ４が露出される第２の位置と、の間で回動可能にすることができる。第１の位置は、本体筐体１と表示筐体２とのなす角が０°となる位置を意味し、第２の位置は、本体筐体１と表示筐体２とのなす角が１３５°となる位置を意味する。
【００１９】
本体筐体１は、各種電気素子が実装された回路基板、電池パックなどを収容する。
【００２０】
本体筐体１の上面側には、キーボード５、ポインティングデバイス６が配置されている。また、本体筐体１の底面側には、図２に示すように、５個の足部１０（１０ａ，１０ｂ，１０ｃ，１０ｄ，１０ｅ）が取り付けられている。足部１０は、ゴムなどの弾性部材で構成し、ノートパソコン１００に加わろうとする衝撃や振動を緩和させるようにしている。
【００２１】
表示筐体２は、タッチパネルディスプレイ４を収容する。タッチパネルディスプレイ４は、タッチ操作が可能な表示装置である。また、表示筐体２は、タッチ操作機能を実行する回路基板７を収容する。回路基板７は、図３に示すように所定の厚みＴを有している。表示筐体２は、所定の厚みＴを有する回路基板７を収容する空間を確保するようにテーパー形状になっている。具体的には、表示筐体２においてヒンジ部３と連結する側の端部である第１の端部２ａ側の内部空間の高さＴ１をヒンジ部３と連結しない側の端部である第２の端部２ｂ側の内部空間の高さＴ２よりも高くしてテーパー形状を構成している。そして、テーパー形状の表示筐体２において、第１の端部２ａ側の内部空間に回路基板７を収容している。第１の端部２ａ側の内部空間の高さＴ１は、回路基板７の厚みＴよりも高くなっている。内部空間は、表示筐体２で覆われた内側の空間を意味する。
【００２２】
ノートパソコン１００の薄型化を図るには、表示筐体２を薄く構成することが好ましい。しかし、本実施形態の表示筐体２は、所定の厚みＴを有する回路基板７を収容する必要がある。ここで、所定の厚みＴの回路基板７を収容するための厚さで表示筐体２全体を構成してしまうと、表示筐体２の薄型化を図ることが難しくなってしまう。このため、本実施形態の表示筐体２は、第１の端部２ａ側の内部空間の高さＴ１を第２の端部２ｂ側の内部空間の高さＴ２よりも高くしてテーパー形状に構成し、第１の端部２ａ側の内部空間に回路基板７を収容するようにしている。これにより、所定の厚みＴの回路基板７を収容するための厚さで表示筐体２全体を構成するよりも表示筐体２の薄型化を図ることができる。また、所定の厚みＴを有する回路基板７を回動軸となるヒンジ部３の近くに収容しているため、タッチパネルディスプレイ４を収容した表示筐体２の安定化を図ることもできる。また、ノートパソコン１００を使用するユーザが頻繁に手で触れることになる表示筐体２の第２の端部２ｂ側の厚みを薄くしているため、表示筐体２の開閉操作を容易に行うことができる。
【００２３】
また、本実施形態の表示筐体２は、図３に示すように、本体筐体１を設置面２００に設置した状態で、ヒンジ部３を回動軸として表示筐体２を第２の位置まで回動した際に、第１の端部２ａ側が設置面２００に接触しない形状に第１の端部２ａ側が面取りされている。本実施形態では、第２の位置は、本体筐体１と表示筐体２とのなす角が１３５°となる位置を意味する。これにより、表示筐体２をテーパー形状で構成した場合であっても、表示筐体２の第１の端部２ａ側を設置面２００に接触させないようにすることができる。
【００２４】
図５に示すように、表示筐体２をテーパー形状で構成し、本体筐体１を設置面２００に設置した状態で、図５（ｂ）に示すように、ヒンジ部３を回動軸として表示筐体２を第２の位置まで回動したとする。第２の位置は、本体筐体１と表示筐体２とのなす角が１３５°となる位置を意味する。この場合、図５（ｂ）に示すように、表示筐体２の第１の端部２ａ側が設置面２００に接触することになり、表示筐体２を第２の位置まで回動することができなくなる。このため、本実施形態では、図５（ｂ）に示すように、表示筐体２の第１の端部２ａ側と設置面２００とが接触する部分３００を少なくとも面取りしている。表示筐体２の第１の端部２ａ側と設置面２００とが接触する部分３００は、表示筐体２を成形した後に面取りするのではなく、表示筐体２を成形する際に面取りすることを意味する。このため、表示筐体２の第１の端部２ａ側と設置面２００とが接触する部分３００がないテーパー形状の表示筐体２を成形することになる。これにより、表示筐体２をテーパー形状で構成した場合であっても、表示筐体２の第１の端部２ａ側を設置面２００に接触させないようにすることができる。
【００２５】
本実施形態の表示筐体２は、第１の端部２ａ側と第２の端部２ｂ側との間に形成された側壁２ｃがテーパー形状で構成しており、第１の端部２ａ側の側壁２ｃの高さが第２の端部２ｂ側の側壁２ｃの高さよりも高くなっている。なお、図５の構成は、図３に示す構成を模式的に示したものである。
【００２６】
本実施形態の本体筐体１及び表示筐体２は、マグネシウム−リチウム合金筐体で構成している。マグネシウム−リチウム合金筐体を構成するマグネシウム−リチウム合金の種類については特に制限はなく、ＬＺ９１やＬＡ１４１などの名称で定義される種類の合金を適用することができる。
【００２７】
マグネシウム−リチウム合金筐体に用いるマグネシウム−リチウム合金は、リチウム、アルミニウム、マグネシウムをそれぞれ所定質量％含有した合金原料溶融物を冷却固化して得られた合金鋳塊を、圧延、鍛造、押出し、引抜き等の公知の方法で行う塑性工程と、塑性工程でひずみが付加された合金を再結晶化する焼きなまし工程と、表面酸化物層やリチウム偏析層の除去等を行う表面処理工程と、を経て得ることができる。そして、本実施形態のマグネシウム−リチウム合金筐体は、上記の工程を経て得たマグネシウム−リチウム合金に対して絞り等のプレス加工を施して所望の形状に成形することで得ることができる。本実施形態の本体筐体１及び表示筐体２は、筐体の薄肉化の観点から肉厚は、０．４〜２．０の範囲で一律の厚さにすることが好ましい。なお、本実施形態の本体筐体１は、プレス加工を施す際に、マグネシウム−リチウム合金筐体を凹状に窪ませることで図４に示す四角形状の足配置部２０（２０ａ，２０ｂ，２０ｃ，２０ｄ，２０ｅ）を形成する。そして、この足配置部２０に対して図２に示すように足部１０（１０ａ，１０ｂ，１０ｃ，１０ｄ，１０ｅ）を取り付ける。
【００２８】
本体筐体１の底面側に取り付ける５個の足部１０（１０ａ，１０ｂ，１０ｃ，１０ｄ，１０ｅ）は、取付位置に応じて形状が異なっている。具体的には、図３に示すように、本体筐体１の手前側から奥側に向かって順に足部１０の高さが異なっている。本体筐体１の手前側は、ヒンジ部３と連結しない側を意味し、本体筐体１の奥側は、ヒンジ部３と連結する側を意味する。足配置部２０ａ，２０ｂ，２０ｃ，２０ｄ，２０ｅに取り付けられた足部１０ａ，１０ｂ，１０ｃ，１０ｄ，１０ｅの高さは、１０ａ＝１０ｂ＜１０ｃ＜１０ｄ＝１０ｅとなっている。このため、本実施形態のノートパソコン１００は、ユーザが手や腕を自然な姿勢にしてキーボード５やポインティングデバイス６などを操作することができる。
【００２９】
＜足部１０と本体筐体１との取付構造例＞
次に、図４、図６、図７を参照しながら、足部１０と本体筐体１との取付構造例について説明する。図６は、足部１０と足配置部２０との取付関係を示す。図７は、図６に示す足配置部２０ｄに足部１０ｄを取り付ける前後の状態の断面構成例を示す。図６においては、足配置部２０のピン穴３０、３１に対し、足部１０のピン４０、４１を差し込んで、足部１０を足配置部２０に取り付ける際の取付構造例を示している。ピン４０、４１は、足部１０の底部５１に設けられる。
【００３０】
本体筐体１は、図４に示すように、足部１０（１０ａ，１０ｂ，１０ｃ，１０ｄ，１０ｅ）の取付位置に足配置部２０（２０ａ，２０ｂ，２０ｃ，２０ｄ，２０ｅ）が設けられている。足配置部２０は、本体筐体１を構成するマグネシウム−リチウム合金筐体を凹状に窪ませて四角形状で形成している。
【００３１】
各足配置部２０には、２つのピン穴３０、３１が設けられており、取付位置に応じて２つのピン穴３０、３１の位置関係が異なっている。例えば、本体筐体１の手前側に位置する足配置部２０ａ，２０ｂは、四角形状の対向する２つの角部付近にピン穴３０、３１が設けられている。また、本体筐体１の中央に位置する足配置部２０ｃは、四角形状の中央付近と、１つの角部付近と、にピン穴３０、３１が設けられている。また、本体筐体１の奥側に位置する足配置部２０ｄ，２０ｅは、四角形状の２辺の中央付近にピン穴３０、３１が設けられている。このため、各足配置部２０は、本体筐体１の手前側、中央、奥側の取付位置で２つのピン穴３０、３１の位置関係が異なった構成になっている。ピン穴３０、３１は、マグネシウム−リチウム合金筐体を凹状に窪ませる工程後の別工程で形成することができる。
【００３２】
また、各足配置部２０に取り付ける各足部１０は、図６に示すように、２つのピン４０、４１が設けられており、各足配置部２０に設けられた２つのピン穴３０、３１と同様に、取付位置に応じて２つのピン４０、４１の位置関係が異なっている。例えば、本体筐体１の手前側に位置する足配置部２０ａ，２０ｂに取り付ける足部１０ａ，１０ｂは、四角形状の対向する２つの角部付近にピン４０、４１が設けられている。また、本体筐体１の中央に位置する足配置部２０ｃに取り付ける足部１０ｃは、四角形状の中央付近と、１つの角部付近と、にピン４０、４１が設けられている。また、本体筐体１の奥側に位置する足配置部２０ｄ，２０ｅに取り付ける足部１０ｄ，１０ｅは、四角形状の２辺の中央付近にピン４０、４１が設けられている。このため、各足配置部２０に取り付ける足部１０は、本体筐体１の手前側、中央、奥側の取付位置で２つのピン４０、４１の位置関係が異なった構成になっている。
【００３３】
本実施形態のノートパソコン１００は、各足配置部２０に設けられた２つのピン穴３０、３１に、各足部１０に設けられたピン４０、４１を差し込み、各足配置部２０に足部１０を取り付けることになる。このため、２つのピン穴３０、３１の位置関係と、２つのピン４０、４１の位置関係と、は取付位置に対応して構成している。
【００３４】
本実施形態では、取付位置に応じて、２つのピン穴３０、３１の位置関係と、２つのピンの位置関係と、が異なっているため、各足配置部２０に取り付ける足部１０の誤取付を防止することができる。
【００３５】
また、足配置部２０に設けられた２つのピン穴３０、３１に、足部１０に設けられたピン４０、４１を差し込み、足配置部２０に足部１０を取り付けるため、足部１０のガタツキを防止したり、足部１０を足配置部２０から剥がれ難くすることができる。なお、足配置部２０に足部１０を取り付ける際は、両面テープなどの粘着剤を用いて取り付けることができる。
【００３６】
足部１０（１０ｄ）は、例えば、図７に示すように、山形状になっており、本体筐体１を設置面２００に設置した際に、足部１０の頂部５０が設置面２００に接触することになる。頂部５０は、設置面２００との接触面積を低減させる形状で構成することで、足部１０を足配置部２０から剥がれ難くすることができる。また、足部１０は、底部５１に２つのピン４０、４１を有している。
【００３７】
足配置部２０ｄは、図７に示すように、凹形状に窪んでおり、足配置部２０ｄに設けられた２つのピン穴３０、３１に足部１０ｄに設けられた２つのピン４０、４１が差し込まれる。
【００３８】
本実施形態の各足配置部２０の凹形状の溝の深さは、取付位置に関わらず同じになっている。即ち、本体筐体１の手前側に位置する足配置部２０ａ，２０ｂの凹形状の溝の深さと、本体筐体１の中央に位置する足配置部２０ｃの凹形状の溝の深さと、本体筐体１の奥側に位置する足配置部２０ｄ，２０ｅの凹形状の溝の深さと、は各々同じ深さになっている。そして、各足配置部２０に取り付けられる各足部１０の高さが、取付位置に応じて形状が異なっている。即ち、足部１０ａ，１０ｂ，１０ｃ，１０ｄ，１０ｅの高さは、１０ａ＝１０ｂ＜１０ｃ＜１０ｄ＝１０ｅとなっている。このため、ノートパソコン１００を設置面２００に設置した状態にすると、図３に示すように、本体筐体１の手前側から奥側に向かって傾斜した状態になる。このため、本実施形態のノートパソコン１００は、ユーザが手や腕を自然な姿勢にしてキーボード５やポインティングデバイス６などを操作することができる。
【００３９】
また、本体筐体１の手前側に位置する足配置部２０ａ，２０ｂの凹形状の溝の深さと、本体筐体１の中央に位置する足配置部２０ｃの凹形状の溝の深さと、本体筐体１の奥側に位置する足配置部２０ｄ，２０ｅの凹形状の溝の深さと、は各々同じ深さになっているため、本体筐体１の薄型化を図ることができる。例えば、足配置部２０の凹形状の溝の深さを各々異ならせ、凹形状の溝の深さが深い領域を形成してしまうと、本体筐体１の内部空間の高さが低くなってしまう領域を形成してしまうことになる。内部空間の高さが低くなってしまうと、内部に厚みのある部品を収容することができなくなる。このため、凹形状の溝の深さが深い領域を形成し、且つ、本体筐体１の内部空間の高さを確保するには、本体筐体１自体の厚さを厚くすることになってしまう。これに対し、足配置部２０の凹形状の溝の深さを均一にすることで、本体筐体１の内部空間の高さが低くなってしまう領域を形成することもないため、本体筐体１の薄型化を図ることができる。
【００４０】
＜本実施形態のノートパソコン１００の作用・効果＞
このように、本実施形態のノートパソコン１００は、表示筐体２は、ヒンジ部３と連結する側の端部である第１の端部２ａ側の内部空間の高さＴ１がヒンジ部３と連結しない側の端部である第２の端部２ｂ側の内部空間の高さＴ２よりも高いテーパー形状で構成し、タッチ操作機能を実行する回路基板７が第１の端部２ａ側の内部空間に設けられている。また、本体筐体１を設置面２００に設置した状態で、ヒンジ部３を回動軸として表示筐体２を第２の位置まで回動した際に、第１の端部２ａ側が設置面２００に接触しない形状に第１の端部２ａ側が面取りされている。
【００４１】
本実施形態のノートパソコン１００は、回路基板７を収容する表示筐体２をテーパー形状で構成し、内部空間の高さが高い第１の端部２ａ側の内部空間に回路基板７を収容している。これにより、タッチ操作が可能なタッチパネルディスプレイ４を有するノートパソコン１００において薄型化を図ることができる。
【００４２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【符号の説明】
【００４３】
１００    ノートパソコン（情報処理装置の一例）
１    本体筐体
２    表示筐体
２ａ    第１の端部
２ｂ    第２の端部
２ｃ    側壁
３    ヒンジ部
４    タッチパネルディスプレイ
５    キーボード
６    ポインティングデバイス
１０（１０ａ〜１０ｅ）    足部
２０（２０ａ〜２０ｅ）    足配置部
３０、３１    ピン穴
４０、４１    ピン
５０    頂部
５１    底部
【図１】
2015079393.tif 000003
【図２】
2015079393.tif 000004
【図３】
2015079393.tif 000005
【図４】
2015079393.tif 000006
【図５】
2015079393.tif 000007
【図６】
2015079393.tif 000008
【図７】
2015079393.tif 000009